(57)【要約】【課題】放出された空間に分布するイオンの量を殆ど低減させることなく稼動寿命を延長したイオン発生装置を提供する。【解決手段】タイマ３３が１秒を計時する都度、ＣＰＵ３０が、出力インタフェース３４、３４を介してイオン発生器駆動回路３８、３８の制御入力ＰＣ１及びＰＣ２のオン／オフを交互に反転させる。イオン発生器駆動回路３８、３８の夫々は、イオン発生器５、５の接地入力Ｇ１及びＧ２の夫々と、直流電源Ｅ１の陰極との接続を１秒毎に交互に接／断する。【選択図】図４
2010055958.tif 000002
【特許請求の範囲】
【請求項１】
イオンを発生させる複数のイオン発生器の夫々を駆動する駆動回路を備えたイオン発生装置において、
前記駆動回路は、前記各イオン発生器の夫々を周期的に互いに異なる位相で駆動するように構成してあることを特徴とするイオン発生装置。
【請求項２】
前記複数のイオン発生器の少なくとも１つは、他のイオン発生器から離隔させてあることを特徴とする請求項１に記載のイオン発生装置。
【請求項３】
前記複数のイオン発生器が発生させたイオンを外部へ吹き出す送風ファンを備えることを特徴とする請求項１又は２に記載のイオン発生装置。
【請求項４】
前記イオン発生器を２つ備え、
前記駆動回路は、夫々のイオン発生器を交互に駆動するように構成してあること
を特徴とする請求項１から３までの何れか１項に記載のイオン発生装置。
【発明の詳細な説明】
【技術分野】
【０００１】
本発明は、複数のイオン発生器を有するイオン発生装置に関する。
【背景技術】
【０００２】
近年、居住空間内に正（プラス）及び／又は負（マイナス）のイオンを放出することにより、居住空間内の空気を清浄化する技術が盛んに用いられている。例えば、空気清浄機では、内部の通風路の途中に正及び負のイオンを発生させるイオン発生器を配設し、発生させたイオンを通風路の空気と共に外部の空間へ放出するようにしている。
【０００３】
空気と共に外部へ放出されたイオンは、居住空間において浮遊粒子を不活性化させ、浮遊細菌を死滅させるため、居住空間全体の空気が清浄化される。
【０００４】
一般的なイオン発生器は、針電極と対向電極との間又は放電電極と誘電電極との間に高圧交流の駆動電圧を印加することにより、コロナ放電を発生させて正及び負のイオンを発生させる。発生したイオンは、無色無臭であるため、実際にイオンが発生しているか否かを確認することは容易ではない。
【０００５】
これに対し、特許文献１では、イオンの発生の有無を検出する技術が開示されている。また、特許文献２では、イオンの発生量を検出してイオンの発生量を最適に制御する技術が開示されている。
【特許文献１】特開２００７−１１４１７７号公報
【特許文献２】特開２００８−０５９７９５号公報
【発明の開示】
【発明が解決しようとする課題】
【０００６】
しかしながら、イオン発生器の稼動が長期にわたることで、コロナ放電に伴うスパッタ蒸発によって放電電極が損耗した場合、又は化学物質、塵埃等の異物が放電電極に累積的に付着した場合、イオンの発生量が減少してイオン発生器が製品寿命に達するという問題がある。安定したイオンの発生を確保するには、イオン発生器の定期メンテナンス及び寿命管理が必要とされており、これをメンテナンスフリーとすることが望まれる。
【０００７】
本発明は斯かる事情に鑑みてなされたものであり、その目的とするところは、複数のイオン発生器を夫々間欠的に駆動させることにより、放出された空間に分布するイオンの量を殆ど低減させることなく稼動寿命を延長したイオン発生装置を提供することにある。
【課題を解決するための手段】
【０００８】
本発明に係るイオン発生装置は、イオンを発生させる複数のイオン発生器の夫々を駆動する駆動回路を備えたイオン発生装置において、前記駆動回路は、前記各イオン発生器の夫々を周期的に互いに異なる位相で駆動するように構成してあることを特徴とする。
【０００９】
本発明にあっては、駆動回路が、複数のイオン発生器の夫々を、周期的に互いに異なる位相で駆動する。
これにより、各イオン発生器は、互いに他のイオン発生器が発生させたイオンの影響を受けること（以下、干渉という）が抑止されると共に、通電される割合が減少して稼動寿命が延長される。
【００１０】
本発明に係るイオン発生装置は、前記複数のイオン発生器の少なくとも１つは、他のイオン発生器から離隔させてあることを特徴とする。
【００１１】
本発明にあっては、少なくとも１つのイオン発生器を、他のイオン発生器から離隔する。
これにより、複数のイオン発生器を互いに異なる位相で駆動させる場合、少なくとも最も高頻度で駆動されるイオン発生器を他から離隔することにより、イオン発生器同士が干渉してイオンの発生量が減少する割合が低下する。
【００１２】
本発明に係るイオン発生装置は、前記複数のイオン発生器が発生させたイオンを外部へ吹き出す送風ファンを備えることを特徴とする。
【００１３】
本発明にあっては、送風ファンが、複数のイオン発生器が発生させたイオンを外部に吹き出す。
これにより、発生したイオンがイオン発生器の近傍に滞留してイオンの発生量が減少することを抑止すると共に、イオン発生器同士の干渉を更に抑止し、加えて、発生したイオンを効率よく外部へ導く。
【００１４】
本発明に係るイオン発生装置は、前記イオン発生器を２つ備え、前記駆動回路は、夫々のイオン発生器を交互に駆動するように構成してあることを特徴とする。
【００１５】
本発明にあっては、駆動回路が、２つのイオン発生器を交互に駆動する。
これにより、２つのイオン発生器が発生させるイオンの量を最大にする周期で夫々のイオン発生器を交互に駆動させたときは、２つのイオン発生器を連続して駆動させたときと比較して、イオンの発生量に大差がなく、且つ、夫々のイオン発生器を用いたイオン発生装置の稼動寿命が倍増する。
【発明の効果】
【００１６】
本発明によれば、複数のイオン発生器の夫々を周期的に互いに異なる位相で駆動させる。これにより、各イオン発生器は、互いに他のイオン発生器が発生させたイオンの影響を受けることが抑止されると共に、通電される割合が減少してイオン発生装置としての稼動寿命が延長される。従って、放出された空間に分布するイオンの量を殆ど減少させることなく稼動寿命を延長することができる。
【発明を実施するための最良の形態】
【００１７】
以下、本発明に係るイオン発生装置を空気清浄機に適用した実施の形態について説明する。図１は本発明に係る空気清浄機の構成を示す縦断側面図、図２は要部の構成を示す正面図、図３は要部の構成を示す側面図である。
【００１８】
図１に示した空気清浄機は、後壁１ａに吸込口１１を有し、天壁１ｂに放出口１２を有するハウジング１と、該ハウジング１内の下部に配されている送風機２と、吸込口１１の内側に配され、送風機２が吸込口１１から吸込む空気を通過させ、該空気中の異物を除去して清浄空気にするフィルタ３と、送風機２及び放出口１２の間に配され、前記清浄空気を前記放出口１２へ導風する導風路としてのダクト４と、送風機２が送風する清浄空気中にプラスイオン及びマイナスイオンを発生させるイオン発生器５とを備え、イオン発生器５が発生させるプラスイオン及びマイナスイオンを、送風機２が送風する清浄空気とともに放出口１２から外部へ放出するように構成されている。
【００１９】
ハウジング１は平面視矩形をなす底壁１ｃと、該底壁１ｃの二辺に連なる前壁１ｄ、後壁１ａ及び底壁１ｃの他の二辺に連なる側壁と、天壁１ｂとを有する略直方体をなす。後壁１ａにはその長手方向が上下となり、長方形をなす吸込口１１が設けられ、天壁１ｂにはその長手方向が両側壁側となり、長方形をなす放出口１２が設けられている。
【００２０】
送風機２は、円筒形状をなし、回転軸が前後となるように配される羽根車２１及び該羽根車２１を回転自在に収容してあるケーシング２２を有する遠心形であり、羽根車２１を駆動するモータ６が、ケーシング２２の前側部に取り付けられている。
【００２１】
羽根車２１は、外縁に対し回転中心側が回転方向へ変位する複数の羽根２１ａを有する多翼羽根車、換言すると円筒形状をなすシロッコファンであり、一端に軸受板を有し、該軸受板の中心に開設されている軸孔にモータ６の出力軸が取り付けられ、他端の開口から中心部の空洞へ吸込んだ空気を外周部の羽根２１ａ間から放出するように構成されている。
【００２２】
ケーシング２２は、羽根車２１の回転により発生する気流を羽根車２１の回転方向へ誘導し、気流の速度を増すための円弧形誘導壁２２ａと、該円弧形誘導壁２２ａの一部から円弧形誘導壁２２ａの接線方向の一方へ上向きに開放された吹出口２２ｂとを有する。吹出口２２ｂは円弧形誘導壁２２ａの一部から円弧形誘導壁２２ａの接線方向の一方へ突出する角筒形状をなしている。また、ケーシング２２は、深皿形をなし、円弧形誘導壁２２ａ及び吹出口２２ｂ用の開放部を有するケーシング本体２ａと、羽根車２１の前記開口と対応する箇所が開放され、ケーシング本体２ａの開放側を閉塞する蓋板２ｂとを備え、該蓋板２ｂがケーシング本体２ａに複数本の雄螺子により取り付けられている。
【００２３】
このように構成されたケーシング２２の円弧形誘導壁２２ａには、イオン発生器５に対応する貫通孔及び貫通孔と離隔する取付孔が開設されており、該取付孔に捩込まれる雄螺子によりイオン発生器５が取り付けられている。
【００２４】
ダクト４は、その下端が吹出口２２ｂに連なり、その上端が開放されている角筒形をなし、ケーシング本体２ａ及び蓋板２ｂと一体に成形されている。また、ダクト４は、吹出口２２ｂの一側から円弧形誘導面２２ａの接線方向の一方に沿って配された一側壁４ａと、吹出口２２ｂの他側から前記一側壁との離隔距離が漸次長くなる他側壁４ｂと、一側壁４ａ及び他側壁４ｂに連なり、鉛直方向に配された後壁４ｃ及び吹出口２２ｂから後壁４ｃとの離隔距離が漸次短くなる前壁４ｄとを有し、吹出口２２ｂから吹出された清浄空気を、一側壁４ａ、後壁４ｃ及び前壁４ｄに沿って層流に誘導するように構成されている。また、前壁４ｄにはイオン発生器５に対応する貫通孔及び貫通孔と離隔する取付孔が開設されており、該取付孔に捩込まれる雄螺子によりイオン発生器５が取り付けられている。
【００２５】
以上のように構成された空気清浄機は、吸込口１１が壁側となるように居住室内の壁の近くに据えられる。送風機２の駆動により、羽根車２１が回転し、室内の空気が吸込口１１からハウジング１内へ吸込まれ、吸込口１１及び放出口１２間に風の通風路が発生し、吸込まれた空気中の塵埃等の異物はフィルタ３により除去されて清浄空気となる。
【００２６】
フィルタ３を通過した清浄空気は、送風機２のケーシング２２内に吸込まれる。この際、ケーシング２２内に吸込まれた清浄空気は、羽根車２１周りの円弧形誘導壁２２ａにより層流となり、この層流部が円弧形誘導壁２２ａに沿って吹出口２２ｂへ誘導され、該吹出口２２ｂからダクト４内へ送風される。送風機２におけるケーシング２２の円弧形誘導壁２２ａにはイオン発生器５を配してあるため、該イオン発生器５が円弧形誘導壁２２ａに沿って流通する清浄空気中にイオンを発生させる。
【００２７】
ダクト４は、一側壁４ａ、後壁４ｃ及び前壁４ｄに沿って清浄空気を層流に誘導するように構成されており、この層流に誘導する前壁４ｄにイオン発生器５を配してあるため、送風機２のケーシング２２内において発生したプラスイオン及びマイナスイオンに加えて、更に、ダクト４に配してあるイオン発生器５がプラスイオン及びマイナスイオンの量を増加させるようにしてある。
【００２８】
図４は、空気清浄機の制御系の概略構成を示すブロック図である。制御系の中枢となるのはＣＰＵ３０であり、ＣＰＵ３０は、プログラム等の情報を記憶するＲＯＭ３１、一時的に発生した情報を記憶するＲＡＭ３２、及び時間を計時するためのタイマ３３と互いにバス接続されている。ＣＰＵ３０は、ＲＯＭ３１に予め格納されている制御プログラムに従って入出力、演算等の処理を実行する。
【００２９】
ＣＰＵ３０には、更に、空気清浄機の運転、停止等の操作を受け付けるための操作部３５と、操作の内容、運転状態等の情報を表示するＬＣＤからなる表示部３６と、送風機２のモータ６を駆動するための送風機駆動回路３７とがバス接続されている。
【００３０】
ＣＰＵ３０にバス接続された出力インタフェース３４、３４の出力側の夫々は、イオン発生器駆動回路３８、３８の制御入力ＰＣ１及びＰＣ２に接続されている。各イオン発生器駆動回路３８、３８の出力の一端の夫々は、陽極がイオン発生器５、５の電源入力Ｖ１及びＶ２に接続されている直流電源Ｅ１の陰極に接続されており、他端は、イオン発生器５、５の接地入力Ｇ１及びＧ２に接続されている。
【００３１】
上述した構成において、タイマ３３が所定時間を計時する都度、ＣＰＵ３０が、出力インタフェース３４、３４を介して、イオン発生器駆動回路３８、３８の制御入力ＰＣ１及びＰＣ２のオン／オフを交互に反転させる。これにより、イオン発生器駆動回路３８、３８の夫々が、イオン発生器５、５の接地入力Ｇ１及びＧ２の夫々と、直流電源Ｅ１の陰極との接続を交互に接／断する。
【００３２】
図５は、イオン発生器５、５を駆動させるＣＰＵ３０の処理手順を示すフローチャートである。以下の処理は、随時実行され、処理が終了する都度、再び実行されるようにしてある。
尚、ＦＬＧ１の内容は、ＲＡＭ３２に記憶されるものとする。
【００３３】
ＣＰＵ３０は、タイマ３３に１秒の計時を開始させる（ステップＳ１１）。その後、ＣＰＵ３０は、タイマ３３が計時を終了したか否かを判定する（ステップＳ１２）。計時を終了していないと判定した場合（ステップＳ１２：ＮＯ）、ＣＰＵ３０は、タイマ３３が計時を終了するまで待機する。計時を終了したと判定した場合（ステップＳ１２：ＹＥＳ）、ＣＰＵ３０は、ＦＬＧ１がセットされているか否かを判定する（ステップＳ１３）。
【００３４】
ＦＬＧ１がセットされていると判定した場合（ステップＳ１３：ＹＥＳ）、ＣＰＵ３０は、ＦＬＧ１をクリアする（ステップＳ１４）。その後、ＣＰＵ３０は、一の出力インタフェース３４の出力をオフさせてイオン発生器駆動回路３８の制御入力ＰＣ１をオフさせる（ステップＳ１５）と共に、他の出力インタフェース３４の出力をオンさせてイオン発生器駆動回路３８の制御入力ＰＣ２をオンさせ（ステップＳ１６）、処理を終了する。
【００３５】
ステップＳ１３でＦＬＧ１がセットされていないと判定した場合（ステップＳ１３：ＮＯ）、ＣＰＵ３０は、ＦＬＧ１をセットする（ステップＳ１７）。その後、ＣＰＵ３０は、一の出力インタフェース３４の出力をオンさせてイオン発生器駆動回路３８の制御入力ＰＣ１をオンさせる（ステップＳ１８）と共に、他の出力インタフェース３４の出力をオフさせてイオン発生器駆動回路３８の制御入力ＰＣ２をオフさせ（ステップＳ１９）、処理を終了する。
【００３６】
図６は、出力インタフェース３４、３４の夫々から制御入力ＰＣ１、ＰＣ２へ入力される駆動信号のタイミングチャートである。夫々の駆動信号は、デューティ５０％で交互に１秒オン／１秒オフを繰り返す。これにより、イオン発生器駆動回路３８、３８の夫々は、イオン発生器５、５への電源供給を１秒おきに交互に接／断する。従ってイオン発生器５、５が１秒おきに交互に駆動される。
【００３７】
図７は、イオン発生器５及びイオン発生器駆動回路３８の接続例を示す回路図である。イオン発生器５は、電源入力Ｖ１（又はＶ２）及び接地入力Ｇ１（又はＧ２）の間に印加された直流電圧を昇圧する第１の昇圧回路５ａと、第１の昇圧回路５ａが昇圧した電圧を更に昇圧する第２の昇圧回路５ｂと、第２の昇圧回路５ｂが昇圧した電圧を印加されてイオンを発生させるイオン発生素子Ｉ１１とを備える。
【００３８】
第１の昇圧回路５ａは、電源入力Ｖ１（又はＶ２）にアノードが接続されたダイオードＤ１１及び抵抗Ｒ１１、Ｒ１２からなる直列回路と、該直列回路の抵抗Ｒ１２側に一端が接続された起動抵抗Ｒ１３と、抵抗Ｒ１２及び抵抗Ｒ１３の接続点に一次巻線Ｔ１１ａの一端が接続された昇圧トランスＴ１１とを備える。
【００３９】
起動抵抗Ｒ１３の他端は、アノードを接地電位に接続されたダイオードＤ１２のカソードと、エミッタ接地のＮＰＮトランジスタＱ１１のベースと、昇圧トランスＴ１１の二次巻線Ｔ１１ｃの一端とに接続されると共に、制限抵抗Ｒ１４を介して昇圧トランスＴ１１のベース巻線Ｔ１１ｂの一端に接続されている。
【００４０】
一次巻線Ｔ１１ａの他端は、ＮＰＮトランジスタＱ１１のコレクタに、ベース巻線Ｔ１１ｂの他端は、接地電位に夫々接続されている。二次巻線Ｔ１１ｃの他端は、ダイオードＤ１３のアノードに接続され、ダイオードＤ１３のカソードは、他端が接地電位に接続された充電用コンデンサＣ１１及び第２の昇圧回路５ｂに接続されている。
【００４１】
第２の昇圧回路５ｂは、二端子サイリスタＳ１１を介して第１の昇圧回路５ａに一次巻線Ｔ１２ａの一端が接続された昇圧トランスＴ１２を備える。一次巻線Ｔ１２ａの他端は接地電位に接続され、二次巻線Ｔ１２ｂは、両端がイオン発生素子Ｉ１１に接続されている。
【００４２】
イオン発生素子Ｉ１１は、カソード及びアノードが夫々昇圧トランスＴ１２の二次巻線Ｔ１２ｂの一端に接続されたダイオードＤ１４及びダイオードＤ１５と、ダイオードＤ１４のアノード及びダイオードＤ１５のカソードに夫々接続されたマイナス側針電極Ｎ１１及びプラス側針電極Ｎ１２と、二次巻線Ｔ１２ｂの他端に接続された対向電極Ｐ１１とを備える。
【００４３】
イオン発生器駆動回路３８は、接地入力Ｇ１（又はＧ２）及び直流電源Ｅ１の陰極に夫々コレクタ及びエミッタが接続されたＮＰＮトランジスタＱ１２と、該ＮＰＮトランジスタＱ１２のベース及びエミッタ間に接続された抵抗Ｒ１６と、前記ＮＰＮトランジスタＱ１２のベース及び制御入力ＰＣ１（又はＰＣ２）の間に接続された抵抗Ｒ１５とを備える。
【００４４】
上述した構成において、制御入力ＰＣ１（又はＰＣ２）に図６に示す駆動信号が与えられた場合、ＮＰＮトランジスタＱ１２がオンして、電源入力Ｖ１（又はＶ２）及び接地入力Ｇ１（又はＧ２）の間に直流電源Ｅ１のＤＣ１２Ｖが印加される。この場合、ダイオードＤ１１、抵抗Ｒ１１、Ｒ１２及び起動抵抗Ｒ１３を介して流入したベース電流により、ＮＰＮトランジスタＱ１１のコレクタ電流が流れ始め、昇圧トランスＴ１１の一次巻線Ｔ１１ａの両端に電圧が発生する。これにより、ベース巻線Ｔ１１ｂの両端に、一次巻線Ｔ１１ａ及びベース巻線Ｔ１１ｂの巻数比に応じた電圧が発生する。
【００４５】
一方、昇圧トランスＴ１１のベース巻線Ｔ１１ｂは、一次巻線Ｔ１１ａと同極性であるため、ベース巻線Ｔ１１ｂの両端に発生した電圧は、ＮＰＮトランジスタＱ１のコレクタ電流の増加を加速させて一次巻線の両端の電圧を増加させるように作用する。このとき、二次巻線Ｔ１１ｃの極性は、ダイオードＤ１３が導通しない方向の電圧が発生するように設定されているため、二次巻線には電流が流れない。
【００４６】
その後、ＮＰＮトランジスタＱ１１のコレクタ電流が増加する割合が減少した場合、一次巻線Ｔ１１ａの両端の電圧は低下し始め、ベース巻線Ｔ１１ｂの両端の電圧も低下してベース電流及びコレクタ電流が減少するため、一次巻線Ｔ１１ａの両端の電圧は更に加速度的に低下する。このとき、二次巻線Ｔ１１ｃの両端には、ダイオードＤ１３が導通する方向に電圧が発生して充電用コンデンサＣ１１を充電する。
【００４７】
充電用コンデンサＣ１１の充電が進行して端子電圧が二端子サイリスタＳ１１のブレークオーバー電圧（本実施の形態では１０５Ｖ）に達した場合、二端子サイリスタＳ１１は、ツエナーダイオードのように導通し始める。導通する電流がブレークオーバー電流（例えば１ｍＡ）に達した場合、二端子サイリスタＳ１１は略短絡状態となり、充電用コンデンサＣ１１に充電された電荷が、昇圧トランスＴ１２の一次巻線Ｔ１２ａを通じて接地電位に放電する。
【００４８】
このとき、二次巻線Ｔ１２ｂには、昇圧されたインパルス状の高電圧が発生する。これにより、昇圧トランスＴ１２の二次巻線Ｔ１２ｂからダイオードＤ１４及びＤ１５を介して高電圧を印加されたイオン発生素子Ｉ１１が、マイナス側針電極Ｎ１１及びプラス側針電極Ｎ１２と、対向電極Ｐ１１との間で夫々マイナスイオン及びプラスイオンを発生させる。
【００４９】
図８は、１個のイオン発生器５を常時オン（駆動）させた場合及び交互にオン／オフさせた場合のイオン濃度及びイオンバランスと、常時オンさせた場合のイオン濃度に対するオン／オフさせた場合のイオン濃度の比とについて、室内での測定例を示す図表であり、図９は、図８のイオン濃度の比の平均値をプロットしたグラフである。図８において、イオン濃度は、単位容積当たりのプラスイオン数（個／ｃｍ3 ）及びマイナスイオン数（個／ｃｍ3 ）であり、イオンバランスは、プラスイオンのイオン濃度に対するマイナスイオンのイオン濃度の比で示してある。また、図９において、横軸はオン／オフ時間（秒）であり、縦軸はイオン濃度の比（％）を示す。
【００５０】
図８及び図９の測定例では、イオン発生器５をオン／オフさせるデューティを５０％に保ってオン時間及びオフ時間を０．５秒から５秒の間で変化させた場合、常時オンさせた場合に対して、イオン濃度の比は平均値で８５．７％から７５．０％まで低下している。このうち、０．５秒及び１秒オン／オフさせた場合のイオン濃度の比は８５．７％であり、１４．３％の低下に抑えられることが示される。換言すれば、１秒から２秒周期で間欠的に駆動させた場合、常時駆動させた場合と比較してイオン濃度に大差が生じないことが示される。
【００５１】
図１０は、２個のイオン発生器５を常時オンさせた場合及び交互にオン／オフさせた場合のイオン濃度及びイオンバランスと、２個常時オンさせた場合のイオン濃度に対するオン／オフさせた場合のイオン濃度の比とについて、室内での測定例を示す図表であり、図１１は、図１０のイオン濃度の比の平均値をプロットしたグラフである。図１０には、また、１個のイオン発生器５を常時オンさせた場合のイオン濃度、イオンバランス及びイオン濃度の比について、側定例を併記してある。図１０でのイオン濃度及びイオンバランスの単位は、図８の場合と同様である。また、図１１において、横軸はオン／オフ時間（秒）であり、縦軸はイオン濃度の比（％）を示す。
【００５２】
図１０及び図１１の測定例では、イオン発生器５をオン／オフさせるデューティを５０％に保ってオン時間及びオフ時間を０．５秒から５秒の間で変化させた場合、２個常時オンさせた場合と比較して、イオン濃度の比は平均値で９２．２％から９０．５％まで低下している。このうち、１秒オン／オフさせた場合のイオン濃度の比は平均９２．２％であり、７．８％の低下に抑えられることが示される。一方、１個のイオン発生器５を常時オンさせた場合のイオン濃度の比は８９．４％であり、２個をオン／オフさせることによって、１個を常時オンさせるより高いイオン濃度が得られることが示される。
【００５３】
以上のように、本実施の形態によれば、イオン発生器駆動回路が、２つのイオン発生器の夫々を、周期的に互いに異なる位相で駆動する。
これにより、イオン発生器同士が干渉することが抑止されると共に、通電される割合が減少してイオン発生装置としての稼動寿命が延長される。従って、放出された空間に分布するイオンの量を殆ど減少させることなく稼動寿命を延長してイオン発生装置としての長寿命化を図ることができる。
【００５４】
また、１つのイオン発生器を他のイオン発生器から離隔してある。
従って、イオン発生器同士が干渉してイオンの発生量が減少する割合を低下させることができる。
【００５５】
更にまた、送風機の羽根車が、２つのイオン発生器が発生させたイオンを外部に吹き出す。
従って、イオン発生器同士の干渉を更に抑止することができると共に、発生したイオンを効率よく外部へ導くことができる。
【００５６】
更にまた、イオン発生器駆動回路が、２つのイオン発生器を、イオンの量が最大となる２秒周期で交互に１秒ずつ駆動する。
従って、２つのイオン発生器を連続して駆動させたときと比較して、イオンの発生量を殆ど低下させることがなく、且つ、夫々のイオン発生器を用いたイオン発生装置の稼動寿命を倍増させることができる。
【００５７】
尚、本実施の形態にあっては、イオン発生器をデューティ５０％で１秒オン／１秒オフの繰り返しにより駆動させているが、これに限定されるものではなく、例えば５０％より小さいデューティにして、更に稼動寿命を延ばすようにしてもよく、２秒とは異なる周期で駆動させるようにしてもよい。
【図面の簡単な説明】
【００５８】
【図１】本発明の実施の形態に係る空気清浄機の構成を示す縦断側面図である。
【図２】要部の構成を示す正面図である。
【図３】要部の構成を示す側面図である。
【図４】空気清浄機の制御系の概略構成を示すブロック図である。
【図５】イオン発生器を駆動させるＣＰＵの処理手順を示すフローチャートである。
【図６】出力インタフェースの夫々から制御入力へ入力される駆動信号のタイミングチャートである。
【図７】イオン発生器及びイオン発生器駆動回路の接続例を示す回路図である。
【図８】１個のイオン発生器を常時オン（駆動）させた場合及び交互にオン／オフさせた場合のイオン濃度及びイオンバランスと、常時オンさせた場合のイオン濃度に対するオン／オフさせた場合のイオン濃度の比とについて、室内での測定例を示す図表である。
【図９】図８のイオン濃度の比の平均値をプロットしたグラフである。
【図１０】２個のイオン発生器を常時オンさせた場合及び交互にオン／オフさせた場合のイオン濃度及びイオンバランスと、２個常時オンさせた場合のイオン濃度に対するオン／オフさせた場合のイオン濃度の比とについて、室内での測定例を示す図表である。
【図１１】図１０のイオン濃度の比の平均値をプロットしたグラフである。
【符号の説明】
【００５９】
２    送風機
４    ダクト
５    イオン発生器
６    モータ
１２  放出口
２１  羽根車（送風ファン）
２２  ケーシング
３０  ＣＰＵ
３１  ＲＯＭ
３２  ＲＡＭ
３３  タイマ
３７  送風機駆動回路
３８  イオン発生器駆動回路（駆動回路）
【図１】
2010055958.tif 000003
【図２】
2010055958.tif 000004
【図３】
2010055958.tif 000005
【図４】
2010055958.tif 000006
【図５】
2010055958.tif 000007
【図６】
2010055958.tif 000008
【図７】
2010055958.tif 000009
【図８】
2010055958.tif 000010
【図９】
2010055958.tif 000011
【図１０】
2010055958.tif 000012
【図１１】
2010055958.tif 000013
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
プラス及びマイナスのイオンを発生させる２つのイオン発生器を互いに離隔させてあり、該２つのイオン発生器の夫々を駆動する駆動回路を備えるイオン発生装置において、
前記２つのイオン発生器が発生させたプラス及びマイナスのイオンを外部へ吹き出す送風ファンを備え、
前記駆動回路は、前記各イオン発生器の夫々を周期的に交互に駆動するように構成してあること
を特徴とするイオン発生装置。
【請求項２】
前記２つのイオン発生器を交互に駆動した場合、前記イオン発生器の１つを連続的に駆動した場合よりも、外部でのプラス及びマイナスのイオン濃度が高くなるようにしてあること
を特徴とする請求項１に記載のイオン発生装置。
【手続補正２】
【補正対象書類名】明細書
【補正対象項目名】０００８
【補正方法】変更
【補正の内容】
【０００８】
本発明に係るイオン発生装置は、プラス及びマイナスのイオンを発生させる２つのイオン発生器を互いに離隔させてあり、該２つのイオン発生器の夫々を駆動する駆動回路を備えるイオン発生装置において、前記２つのイオン発生器が発生させたプラス及びマイナスのイオンを外部へ吹き出す送風ファンを備え、前記駆動回路は、前記各イオン発生器の夫々を周期的に交互に駆動するように構成してあることを特徴とする。
【手続補正３】
【補正対象書類名】明細書
【補正対象項目名】０００９
【補正方法】変更
【補正の内容】
【０００９】
本発明にあっては、駆動回路が、プラス及びマイナスのイオンを発生させる２つのイオン発生器の夫々を、周期的に交互に駆動し、発生させたプラス及びマイナスのイオンを送風ファンが外部に吹き出す。
これにより、各イオン発生器は、互いに他のイオン発生器が発生させたイオンの影響を受けること（以下、干渉という）が抑止されると共に、通電される割合が減少して稼動寿命が倍増する。また、発生したプラス及びマイナスのイオンが効率よく外部に導かれる。
【手続補正４】
【補正対象書類名】明細書
【補正対象項目名】００１０
【補正方法】変更
【補正の内容】
【００１０】
本発明に係るイオン発生装置は、前記２つのイオン発生器を交互に駆動した場合、前記イオン発生器の１つを連続的に駆動した場合よりも、外部でのプラス及びマイナスのイオン濃度が高くなるようにしてあることを特徴とする。
【手続補正５】
【補正対象書類名】明細書
【補正対象項目名】００１１
【補正方法】変更
【補正の内容】
【００１１】
本発明にあっては、２つのイオン発生器を交互に駆動させることにより、１つのイオン発生器を連続して駆動させたときよりも外部の空間で検出されるイオン濃度が高まる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明によれば、複数のイオン発生器の夫々を周期的に交互に駆動し、発生させたイオンを外部に吹き出す。これにより、各イオン発生器は、互いに他のイオン発生器が発生させたイオンの影響を受けることが抑止されると共に、通電される割合が減少してイオン発生装置としての稼動寿命が倍増する。従って、放出された空間に分布するイオンの量を殆ど減少させることなく稼動寿命を延長することができる。 
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
プラス及びマイナスのイオンを発生させる２つのイオン発生器を互いに離隔させてあり、該２つのイオン発生器の夫々を駆動する駆動回路を備えるイオン発生装置において、
前記２つのイオン発生器が発生させたプラス及びマイナスのイオンを外部へ吹き出す送風ファンを備え、
前記駆動回路は、前記各イオン発生器の夫々を周期的に交互に駆動するように構成してあること
を特徴とするイオン発生装置。
【請求項２】
前記２つのイオン発生器の夫々を１秒〜１０秒の周期で交互に、且つ等しいデューティで駆動するように構成してあること
を特徴とする請求項１に記載のイオン発生装置。
【手続補正２】
【補正対象書類名】明細書
【補正対象項目名】００１０
【補正方法】変更
【補正の内容】
【００１０】
本発明に係るイオン発生器は、前記２つのイオン発生器の夫々を１秒〜１０秒の周期で交互に、且つ等しいデューティで駆動するように構成してあることを特徴とする。
【手続補正３】
【補正対象書類名】明細書
【補正対象項目名】００１１
【補正方法】変更
【補正の内容】
【００１１】
本発明にあっては、２つのイオン発生器をオン／オフさせるデューティを５０％とし、オン時間及びオフ時間を０．５秒から５秒の間で変化させる。